(57)【要約】【課題】  信号伝送の利得を早急に向上しうる放送波分配器用トランスを提供する。  【解決手段】  ２つのインピーダンス変成トランスのそれぞれ２つの円筒穴の計４つの円筒穴の全てと、信号線挿通穴の中心軸とが、同一直線状に並ぶように、分配トランス１つとインピーダンス変成トランス２つとを配置した状態で、この放送波分配器用トランスの被実装対象の実装面に正対する平面視でみたときに、信号線の、信号線挿通穴から露出してインピーダンス変成トランスに隠れて見えなくなるまでの長さＬ＿Ｌ1、Ｌ＿Ｌ3を、分配トランスの信号線挿通穴の端部１a１から、分配トランスの略円筒形状を形成する外面１ｂまでの長さＬ＿Ｌ1、Ｌ＿Ｌ3と略等しくした。【選択図】図１
2006033618.tif 000002
【特許請求の範囲】
【請求項１】
放送信号を伝送する信号線を挿通させる信号線挿通穴が１つ設けられた略円筒状のフェライトコアである分配トランス１つと、２つの円筒穴を平行に形成されたフェライトコアであるインピーダンス変成トランス２つとが、信号線挿通穴に挿通された信号線が２つの円筒穴それぞれに巻回されることによって、信号線を介して一体化部品としてなる放送波分配器用トランスにおいて、
２つのインピーダンス変成トランスのそれぞれ２つの円筒穴の計４つの円筒穴の全てと、信号線挿通穴の中心軸とが、同一直線状に並ぶように、分配トランス１つとインピーダンス変成トランス２つとを配置した状態で、この放送波分配器用トランスの被実装対象の実装面に正対する平面視でみたときに、
信号線の、信号線挿通穴から露出してインピーダンス変成トランスに隠れて見えなくなるまでの長さを、分配トランスの信号線挿通穴の端部から、分配トランスの略円筒形状を形成する外面までの長さと略等しくしたことを特徴とする、放送波分配器用トランス。
【発明の詳細な説明】
【技術分野】
【０００１】
本発明は、放送波分配器用トランスに関するものである。
【背景技術】
【０００２】
従来の放送波分配器用トランス装置を、図４と図５を用いて説明する。図４は従来の放送波分配器用トランスの説明図であり、(a)は平面図、(b)は側面図、(c)は下面図である。図５は同上の放送波分配器用トランスをプリント基板等の回路基板に搭載した状態をあらわす斜視図である。
【０００３】
一般に、テレビ放送波を受信して得られる受信信号を分配する分配器には、低周波から高周波まで広帯域に伝送できることが要求される。このため、分配器に搭載するトランス装置には、一般的にフェライト捲線タイプのトランスを用いる。
【０００４】
このような放送波分配器用トランスを図４に示す。放送信号を伝送する信号線Lを挿通させる信号線挿通穴１ａが１つ設けられた略円筒状（いわゆるビーズ形）のフェライトコアである分配トランス１が１つと、２つの円筒穴２ａ、２ｂを平行に形成されたフェライトコア（いわゆるバルーン形）であるインピーダンス変成トランス２が２つ用いられる。このような放送波分配器用トランスは、信号線挿通穴１ａに挿通された信号線Lが２つの円筒穴２ａ、２ｂそれぞれに巻回されることによって、信号線Lを介して一体化部品としてなる。
【０００５】
信号線Lは、Ｌ1、Ｌ2、Ｌ3、Ｌ4の４本からなり、分配トランス１は一端から他端へ信号線Ｌ1が挿通される。信号線Ｌ1は分配トランス１の他端側のインピーダンス変成トランス２の内部を捲回して、同トランス２へ挿通された別の信号線Ｌ2と捩れられている。また、分配トランス１は他端から一端へ信号線Ｌ3が挿通される。信号線Ｌ3は分配トランス１の一端側のインピーダンス変成トランス２の内部を捲回して、同トランス２へ挿通された別の信号線Ｌ4と捩れられている。
【０００６】
このような放送波分配器用トランスは、信号線Ｌ1、Ｌ3が３つのトランス間でそれぞれ途切れないので、例えば、図５に示す実装対象であるプリント基板P上のランドやパターン経由で半田付けされた結果として信号線Ｌ1やＬ3が一本化される形態に比べて、半田付けなどの接続作業が必要ないので組み立て工数が少なく、一方で、例えば、各トランスごとに各信号線を巻回したあと信号線どうしを半田付けして信号線Ｌ1を一本化したり信号線Ｌ3を一本化したりするような形態に比べて、信号線Ｌ1、Ｌ3に半田付けなどの接続作業が必要ないので組み立て工数が少なくて済むという利点を有する。
【特許文献１】特開２００１−３４５２１６公報
【発明の開示】
【発明が解決しようとする課題】
【０００７】
最近では、高周波帯域での信号利得のさらなる向上が早急に実現されるよう市場から望まれているが、性能を向上させるためには、各トランスとして使用するフェライトコアのサイズや材質、信号線の線径をパラメータとした設計および実験を繰り返す必要がある。そればかりか、プリント基板上で好ましくはグランドパターンエリア上に位置させたく実装位置の検討をするなど、改善要因が様々であり、しかもこれらパラメータ群が相関性をもっている場合もあるので、設計に時間がかかり、早急には信号伝送の利得向上を実現し難かった。
【０００８】
本発明は、そのような問題点を解決しようとしたものであり、その目的とするところは、信号伝送の利得を早急に向上しうる放送波分配器用トランスを提供することにある。
【課題を解決するための手段】
【０００９】
上記問題点を解決するため、請求項１記載の放送波分配器用トランスにあっては、放送信号を伝送する信号線を挿通させる信号線挿通穴が１つ設けられた略円筒状のフェライトコアである分配トランス１つと、２つの円筒穴を平行に形成されたフェライトコアであるインピーダンス変成トランス２つとが、信号線挿通穴に挿通された信号線が２つの円筒穴それぞれに巻回されることによって、信号線を介して一体化部品としてなる放送波分配器用トランスにおいて、
２つのインピーダンス変成トランスのそれぞれ２つの円筒穴の計４つの円筒穴の全てと、信号線挿通穴の中心軸とが、同一直線状に並ぶように、分配トランス１つとインピーダンス変成トランス２つとを配置した状態で、この放送波分配器用トランスの被実装対象の実装面に正対する平面視でみたときに、
信号線の、信号線挿通穴から露出してインピーダンス変成トランスに隠れて見えなくなるまでの長さを、分配トランスの信号線挿通穴の端部から、分配トランスの略円筒形状を形成する外面までの長さと略等しくしたことを特徴とする。
【発明の効果】
【００１０】
２つのインピーダンス変成トランスのそれぞれ２つの円筒穴の計４つの円筒穴の全てと、信号線挿通穴の中心軸とが、同一直線状に並ぶように、分配トランス１つとインピーダンス変成トランス２つとを配置した状態で、この放送波分配器用トランスの被実装対象の実装面に正対する平面視でみたときに、信号線の、信号線挿通穴から露出してインピーダンス変成トランスに隠れて見えなくなるまでの長さを、分配トランスの信号線挿通穴の端部から、分配トランスの略円筒形状を形成する外面までの長さと略等しくした。
【００１１】
換言すると、分配トランスを中央にしてインピーダンス変成トランスを両脇に、分配トランスと２つのインピーダンス変成トランスとで横一文字状をなすよう配置した状態で、前記信号線の、信号線挿通穴から延出しインピーダンス変成トランスに至るまでの部分を、分配トランスの信号線挿通穴の端部から、分配トランスの略円筒形状を形成する外面までの長さと略等しくしつつ、撓ませず直線状に緊張させた。
【００１２】
このような放送波分配器用トランスを用いれば、複雑な設計変更を要さずとも、信号線の長さを必要最小限になるよう工夫するだけで、高周波になるにつれ信号伝送の利得を大きく向上できる。のみならず、分配トランスに対する２つのインピーダンス変成トランスの配置位置を最大相対角度１８０度まで可動に配置できるので、インピーダンス変成トランスの配置設計の自由度を極力制限せずに済む。
【発明を実施するための最良の形態】
【００１３】
本発明に係る放送波分配器用トランスの一実施の形態を、図１乃至図３を用いて、以下に説明する。図１は本発明の放送波分配器用トランスの説明図であり、(a)はコの字状に配置した場合の平面図、(b)は(a)の側面図、(c)は横一直線状に配置した場合の平面図である。図２は図１の放送波分配器用トランスを被実装対象であるプリント基板の実装面に実装した状態をあらわす平面図であり、(a)はハの字状に配置した場合、(b) はコの字状に配置した場合を、それぞれあらわす。図３は本発明の放送波分配器用トランスを用いて信号伝送の利得特性が改善されたことを示す特性図である。
【００１４】
放送波分配器用トランスは、放送信号を伝送する信号線Lを挿通させる信号線挿通穴１ａが１つ設けられた略円筒状（いわゆるビーズ形）のフェライトコアである分配トランス１が１つと、２つの円筒穴２ａ、２ｂを平行に形成されたフェライトコア（いわゆるバルーン形）であるインピーダンス変成トランス２が２つ用いられる。このような放送波分配器用トランスは、信号線挿通穴１ａに挿通された信号線Lが２つの円筒穴２ａ、２ｂそれぞれに巻回されることによって、信号線Lを介して一体化部品としてなる。
【００１５】
信号線Lは、Ｌ1、Ｌ2、Ｌ3、Ｌ4の４本からなり、分配トランス１は一端から他端へ信号線Ｌ1が挿通される。信号線Ｌ1は分配トランス１の他端側のインピーダンス変成トランス２の内部を捲回して、同トランス２へ挿通された別の信号線Ｌ2と捩れられている。また、分配トランス１は他端から一端へ信号線Ｌ3が挿通される。信号線Ｌ3は分配トランス１の一端側のインピーダンス変成トランス２の内部を捲回して、同トランス２へ挿通された別の信号線Ｌ4と捩れられている。
【００１６】
なお、図１に示すように、信号線Lは、Ｌ1、Ｌ2、Ｌ3、Ｌ4の４本のうち、信号線Ｌ1とＬ2とが１つのインピーダンス変成トランス２での縒り合せのペアとなっており、信号線Ｌ3とＬ4とが他のインピーダンス変成トランス２での縒り合せのペアとなっている。
【００１７】
ここで、図１(c)の横一直線状に配置した場合の平面図に描いたように、この放送波分配器用トランスの被実装対象であるプリント基板Pの実装面に正対する平面視（つまりプリント基板Pに実装した状態で上からみた場合）で、信号線Lのうち、分配トランス１とインピーダンス変成トランス２とのあいだを接続する２つの信号線Ｌ1、Ｌ3については、信号線挿通穴１ａから露出してインピーダンス変成トランス２に隠れて見えなくなるまでの長さＬ＿Ｌ1、Ｌ＿Ｌ3を、分配トランス１の信号線挿通穴１ａの端部１ａ１から、分配トランス１の略円筒形状を形成する外面１ｂまでの長さと略等しくしてある。信号線Lの、信号線挿通穴１aから延出しインピーダンス変成トランス２、２に至るまでの部分の長さＬ＿Ｌ1、Ｌ＿Ｌ3は、撓ませず直線状に緊張させてある。
【００１８】
この長さＬ＿Ｌ1、Ｌ＿Ｌ3はそのままで、図１(a)のようにコの字状に配置してもよい。プリント基板への実装配置を設計する際には、図１ (a)コの字状配置や、図１(c)横一直線状に配置、以外にも、図２(a)ハの字状配置の場合もありうる。勿論、本発明はこの３つの配置形態に限定されるものではなく、分配トランスに対する２つのインピーダンス変成トランスの配置位置を最大相対角度１８０度まで可動に配置できるので、インピーダンス変成トランスの配置設計の自由度を極力制限せずに済むという利点を有する。このため、プリント基板上で好ましくはグランドパターンエリア上に位置させたく実装位置の検討をするときに配置設計の自由度が高い。
【００１９】
このように形成した放送波分配器用トランスによれば、図３に示すような実測特性が得られている。図３では、縦軸が信号伝送の利得〔単位：ｄB（デシベル）〕をあらわし、横軸が放送波の伝送周波数帯域〔単位：MHZ（メガヘルツ）〕をあらわし、従来の放送波分配器用トランスの有する特性Aに比べ、本発明の放送波分配器用トランスの有する特性Bのほうが、低周波帯域から３０００MHZ（メガヘルツ）の高周波放送帯域になるにつれて利得が向上されており、利得向上の効果が一目瞭然である。
【図面の簡単な説明】
【００２０】
【図１】本願発明に係る放送波分配器用トランスの説明図であり、(a)はコの字状に配置した場合の平面図、(b)は(a)の側面図、(c)は横一直線状に配置した場合の平面図である。
【図２】図１の放送波分配器用トランスを被実装対象であるプリント基板の実装面に実装した状態をあらわす平面図であり、(a)はハの字状に配置した場合、(b) はコの字状に配置した場合を、それぞれあらわす。
【図３】本願発明に係る放送波分配器用トランスを用いて信号伝送の利得特性が改善されたことを示す特性図である。
【図４】従来の放送波分配器用トランスの説明図であり、(a)は平面図、(b)は側面図、(c)は下面図である。
【図５】同上の放送波分配器用トランスをプリント基板等の回路基板に搭載した状態をあらわす斜視図である。
【符号の説明】
【００２１】
１                        分配トランス
１ａ                      信号線挿通穴
１ａ１                    分配トランスの信号線挿通穴の端部
１ｂ                      分配トランスの略円筒形状を形成する外面
２、２                    インピーダンス変成トランス
２ａ、２ｂ                円筒穴
L（Ｌ1、Ｌ2、Ｌ3、Ｌ4）   信号線
Ｌ＿Ｌ1、Ｌ＿Ｌ3          信号線挿通穴から延出しインピーダンス変成トランスに至るまでの部分の長さ
【図１】
2006033618.tif 000003
【図２】
2006033618.tif 000004
【図３】
2006033618.tif 000005
【図４】
2006033618.tif 000006
【図５】
2006033618.tif 000007